(57)【要約】【課題】墓地の入り口から目的とする墓石までの経路の照明を経済的に点灯し、参拝者が安全かつ快適に墓参りをすることができる、墓地誘導システムを提供する。【解決手段】複数の墓石２００の周囲及び墓石間の通路に照明機器３００が設置された墓地において、照明装置３００の照明状態を制御する墓地誘導システムであって、暗証番号を入力する暗証番号入力機１１０Ａと、照明コントローラ２３とを備え、照明コントローラ２３は、入力された暗証番号が墓石２００のいずれかに登録された認証データと一致した場合に、門１１０から墓石２００までの経路に位置する照明機器３００、及び、認証データが登録された墓石２００の周囲に設置された照明装置２３６とを点灯させる。【選択図】図２
2020165240.tif 000002
【特許請求の範囲】
【請求項１】
複数の墓石が配置され、前記墓石の周囲及び前記墓石間の通路に照明装置が設置された墓地において、前記照明装置の照明状態を制御する墓地誘導システムであって、
ユーザ認証データを入力する第１入力部と、
前記第１入力部に入力された前記ユーザ認証データが、複数の前記墓石のいずれかに登録された認証データと一致した場合に、前記第１入力部が設置された地点から入力された前記ユーザ認証データが登録された前記墓石までの経路である参拝経路に位置する前記通路に設置された前記照明装置と、入力された前記ユーザ認証データが登録された前記墓石の周囲に設置された前記照明装置とを点灯させる照明コントローラと、を備えることを特徴とする、墓地誘導システム。
【請求項２】
前記墓石は、人を検知する検知部を備えており、前記検知部において、前記ユーザ認証データを入力したユーザが検知された場合に、前記照明コントローラは、前記参拝経路上に位置する前記通路に設置された前記照明装置を消灯することを特徴とする、請求項１に記載の墓地誘導システム。
【請求項３】
前記検知部において、前記ユーザが検知されなくなった場合に、前記照明コントローラは、前記参拝経路上に位置する前記通路に設置された前記照明装置を点灯することを特徴とする、請求項２に記載の墓地誘導システム。
【請求項４】
ユーザ認証データを入力する第２入力部を更に備え、前記第２入力部に入力された前記ユーザ認証データが、前記第１入力部に入力された前記ユーザ認証データと一致した場合に、前記照明コントローラは、前記参拝経路上に位置する前記通路に設置された前記照明装置と、入力された前記ユーザ認証データが登録された前記墓石の周囲に設置された前記照明装置とを消灯させることを特徴とする、請求項３に記載の墓地誘導システム。
【請求項５】
前記照明コントローラは、前記ユーザ認証データごとに設定された色、及び／または、点滅パターンで、前記照明装置を点灯することを特徴とする、請求項１ないし請求項４のいずれか一項に記載の墓地誘導システム。
【請求項６】
前記ユーザ認証データと前記認証データとの照合を行い、前記参拝経路を設定して前記参拝経路に位置する前記通路に設置された前記照明装置を特定し、前記特定された前記照明装置を所定の照明状態で点灯させるよう前記照明コントローラに対して制御指示を行うサーバを更に備えることを特徴とする、請求項１に記載の墓地誘導システム。
【発明の詳細な説明】
【技術分野】
【０００１】
本実施形態は、墓地誘導システムに関する。
【背景技術】
【０００２】
一般的に、墓地に訪れてお墓をお参りする時間帯は日中であることが多い。しかし、彼岸やお盆など、大勢の人がお参りに墓地を訪れる時期には、明るいうちに墓参りをしたくとも、駐車場の空きがないなどの理由で日中のお参りができない場合がある。また、現在の多忙な社会背景を鑑みると、明るい時間に墓地を訪れることが困難であり、夜間にしかお墓参りができない人が増加していると考えられる。
【０００３】
しかしながら、従来、墓地には照明がほとんど設置されていないため、墓地の入り口からお参りをしたいお墓までたどり着くのが困難であった。近年、太陽電池を利用して墓石を照明や音声で飾ることができる、屋外崇拝物飾り装置の技術が提案されている（例えば、特許文献１参照）。また、太陽電池式墓前灯篭の技術も知られている（例えば、特許文献２参照）。しかし、これらの提案は、墓石の近辺のみを照明する技術であるため、墓地の入り口から墓石までの経路は依然として暗いままであるため、参拝者の安全性の確保が困難であるという問題があった。また、安全性を確保するために、墓地に配置された全ての経路に照明を設置し、参拝者のために夜間常に照明をつけておくのは経済的でないという問題もある。
【先行技術文献】
【特許文献】
【０００４】
【特許文献１】特開２００１−０４９９０３号公報
【特許文献２】実用新案登録第３０８２５４４号公報
【発明の概要】
【発明が解決しようとする課題】
【０００５】
本実施形態は、墓地の入り口から目的とする墓石までの経路の照明を経済的に点灯し、参拝者が安全かつ快適に墓参りをすることができる、墓地誘導システムを提供することを目的とする。
【課題を解決するための手段】
【０００６】
本実施形態の墓地誘導システムは、複数の墓石が配置され、前記墓石の周囲及び前記墓石間の通路に照明装置が設置された墓地において、前記照明装置の照明状態を制御する墓地誘導システムであって、ユーザ認証データを入力する第１入力部と、照明コントローラとを備える。前記照明コントローラは、前記第１入力部に入力された前記ユーザ認証データが、複数の前記墓石のいずれかに登録された認証データと一致した場合に、前記第１入力部が設置された地点から入力された前記ユーザ認証データが登録された前記墓石までの経路である参拝経路に位置する前記通路に設置された前記照明装置と、入力された前記ユーザ認証データが登録された前記墓石の周囲に設置された前記照明装置とを点灯させる。
【発明の効果】
【０００７】
本実施形態によれば、墓地の入り口から目的とする墓石までの経路の照明を経済的に点灯し、参拝者が安全かつ快適に墓参りをすることができる、墓地誘導システムを提供することができる。
【図面の簡単な説明】
【０００８】
【図１】本実施形態に係わる墓地誘導システムの構成図。
【図２】墓地制御装置の構成の一例を説明する概略ブロック図。
【図３】墓地のレイアウトの一例を説明する平面図。
【図４】墓石の概観を説明する概略図。
【図５】墓石に設置される被制御機器の構成の一例を説明する概略ブロック図。
【図６】本実施形態に係わる墓地誘導システムにおける照明制御手順を説明するフローチャート。
【発明を実施するための形態】
【０００９】
以下、図面を参照して実施形態を説明する。
【００１０】
図１は、本実施形態に係わる墓地誘導システムの構成図である。墓地誘導システム１は、墓地制御装置２を備えている。墓地制御装置２は、インターネット回線３を介して、サーバ４と接続されている。
【００１１】
墓地制御装置２は、サーバ４からインターネット回線３を介して入力された制御指示信号に基づき、墓地の各部に設けられた被制御機器に対する制御を行う。図２は、墓地制御装置の構成の一例を説明する概略ブロック図である。図２に示すように、墓地制御装置２は、通信制御部２１と、門制御部２２と、照明コントローラ２３と、墓石コントローラ２４と、入力装置２５とを備えている。
【００１２】
通信制御部２１は、インターネット回線３との間で送受信されるデータや制御指示信号の通信を制御する。具体的には、門制御部２２から入力されるデータや入力装置２５から入力されるデータを、インターネット回線３を介してサーバ４に出力するよう、通信制御を行う。また、サーバ４からインターネット回線３を介して入力される制御指示信号に基づき、被制御機器の制御を行う部位（門制御部２２、照明コントローラ２３、墓石コントローラ２４のいずれか）を特定し、当該部位に対して制御指示信号を出力する。
【００１３】
門制御部２２は、墓地１００の入り口に設置された門１１０の開閉を制御する。図３は、墓地のレイアウトの一例を説明する平面図である。図３に示すように、墓地１００は、外周を外壁で囲まれており、外壁の一部に参拝者の通行が可能な門１１０が設けられている。門１１０には、暗証番号入力機１１０Ａ、１１０Ｂが設置されている。第１入力部としての暗証番号入力機１１０Ａは、外部から墓地１００に入る際に参拝者が所定の暗証番号を入力する機器であり、第２入力部としての暗証番号入力機１１０Ｂは、墓地１００から外部に出る際に参拝者が所定の暗証番号を入力する機器である。なお、暗証番号入力機１１０Ａ、１１０Ｂは、ユーザ認証に用いるユーザ認証データの入力部である。上述した暗証番号は、ユーザ認証データの一例である。暗唱番号のかわりに、ユーザ識別ＩＤなど、ユーザを一意に識別可能な番号や文字、番号と文字とを組み合わせた文字列などを用いてもよい。
【００１４】
墓地１００の内部には、複数の墓石２００を列状に配置した墓石列２１０が、複数配置されている。隣り合う墓石列２１０の間は、参拝者が通行する通路となっている。通路には複数の照明機器３００が配置されている。照明機器３００は、例えば、通路に沿った埋め込み型のＬＥＤフットライトを用いる足元照明、通路に沿って所定間隔で埋め込んだポールなどに設置したＬＥＤライト等を用いて上方から通路を照明するスポットライト、通路脇に設置したＬＥＤ小型投光器などを用いて足元から上方に向かって照明光を照射するアッパーライトなどで構成することができる。また、照明機器３００を通路に設けるかわりに、墓地１００内に大型のプロジェクタを配置したハイポール（図示せず）を設け、プロジェクトマッピングのように通路を照明してもよい。なお、個々の照明機器３００には、固有の識別情報（ＩＤやアドレスなど）が付与されており、個別に照明状態（点灯／消灯や、点滅パターン、発光色など）を制御することができる。
【００１５】
照明コントローラ２３は、墓地１００の通路に配置された照明機器３００の照明状態を制御する。照明コントローラ２３は、通信回線を介して複数の照明機器３００と接続されている。通信回線は、例えば２線式の伝送線などを用いた有線回線であってもよいし、無線回線であってもよい。照明コントローラ２３は、通信制御部２１から入力される制御指示信号に従って、指定された識別情報を有する照明機器３００の照明状態を制御する。また、照明コントローラ２３は、墓石２００に設けられた照明装置２３６の照明状態の制御も行う。
【００１６】
墓石コントローラ２４は、墓石２００に設けられている被制御機器を制御する。墓石２００に設けられている被制御機器と墓石コントローラ２４とを有線回線で接続する場合、墓石コントローラ２４とこれらの被制御機器との間に墓石通信部２２０を設け、墓石通信部２２０介してデータや制御信号を送受信してもよい。なお、墓石２００に設けられている被制御機器から出力されるデータをサーバ４で分析し、墓地制御装置２を介さずにサーバ４から直接制御指示を行う場合、墓石コントローラ２４は省略することができる。
【００１７】
図４は、墓石の概観を説明する概略図である。図４に示すように、墓石２００には、通信アンテナ２３１と、カメラ２３２と、モニタ２３３と、スピーカ２３５と、マイク２３４と、照明装置２３６と、コントローラ２３７とが設けられている。
【００１８】
通信アンテナ２３１は、例えば墓石２００の鉛直方向上面に配置され、墓石コントローラ２４と無線で通信を行う。カメラ２３２は、例えば墓石２００の前面に埋め込まれており、参拝者などを撮影することができる。カメラ２３２で撮影された画像は、通信アンテナ２３１を介して墓石コントローラ２４へ出力される。
【００１９】
モニタ２３３は、墓石２００の前面に埋め込まれており、墓石コントローラ２４から通信アンテナ２３１へ入力された画像や映像が表示される。スピーカ２３５は、例えば墓石２００の前面に埋め込まれており、墓石コントローラ２４から通信アンテナ２３１へ入力された音声が出力される。マイク２３４は、例えば墓石前面に埋め込まれており、参拝者が墓石２００に向かって呼びかけた声（音声データ）を集音する。集音された音声データは、通信アンテナ２３１を介して墓石コントローラ２４へ出力される。
【００２０】
照明装置２３６は、例えば、墓石２００の周囲を囲む地上に設置されたＬＥＤ照明器具により構成されている。照明装置２３６の照明状態は、照明コントローラ２３により制御される。
【００２１】
コントローラ２３７は、墓石２００に設けられた被制御装置と、墓石コントローラ２４との間でのデータの送受信を制御する。図５は、墓石に設置される被制御機器の構成の一例を説明する概略ブロック図である。被制御機器であるカメラ２３２、マイク２３４、スピーカ２３５、モニタ２３３の各機器は、コントローラ２３７に接続されている。カメラ２３２、マイク２３４、スピーカ２３５、モニタ２３３の各部位から入力されるデータは、コントローラ２３７を介し、通信アンテナ２３１から墓石コントローラ２４へ無線で送信される。また、墓石コントローラ２４から通信アンテナ２３１に入力される制御指示信号は、コントローラ２３７を介して、制御対象の機器（カメラ２３２、マイク２３４、スピーカ２３５、モニタ２３３、のいずれか）に出力される。
【００２２】
なお、墓石２００に設けられている被制御機器から出力されるデータをサーバ４で分析し、サーバ４から被制御機器に対して直接制御指示が行われる場合、通信アンテナ２３１はサーバ４との間でデータの送受信を行う。
【００２３】
入力装置２５は、墓地誘導システムの実行に先だち、サーバ４や墓石コントローラ２４において、入力されたデータを分析して制御指示内容を決定するための諸条件や設定値などの登録作業に用いられる。
【００２４】
サーバ４は、墓地全体の管理システムとしての機能を有する、クラウド上に設けられたサーバである。サーバ４は、プロセッサ４１とメモリ４２とを備えている。サーバ４は、インターネット回線３を介して墓地制御装置２から入力される各種情報に基づき、墓地の各部に設けられた被制御機器に対する制御内容を決定する。対象となる被制御機器や制御内容については、後に詳述する。被制御機器に対する制御内容の決定は、メモリ４２に格納されているプログラムをプロセッサ４１が実行することによりソフトウェア的に実現してもよいし、プロセッサ４１をＦＰＧＡ（Ｆｉｅｌｄ  Ｐｒｏｇｒａｍｍａｂｌｅ  Ｇａｔｅ  Ａｒｒａｙ）などの集積回路により構成することでハードウェア的に実現してもよい。決定された制御内容は、制御指示信号として、インターネット回線３を介して墓地制御装置２に出力される。
【００２５】
このように構成された墓地誘導システムの作用について、次に説明する。図６は、本実施形態に係わる墓地誘導システムにおける照明制御手順を説明するフローチャートである。参拝者は、墓地１００の門１１０に到着すると、予め個々の墓石２００に対して割り当てられた暗証番号を、暗証番号入力機１１０Ａに入力する。入力された暗証番号はサーバ４へ送信され、墓石２００に割り当て済みの暗証番号と照会が行われる（Ｓ１）。暗証番号の照合確認が得らない場合（Ｓ２、Ｎｏ）、暗証番号のエラーメッセージ等を出力し、参拝者に正しい暗証番号の入力を促す。そして、Ｓ１に戻り、照合確認が得られるまで暗証番号の照会作業を継続する。
【００２６】
一方、暗証番号の照合確認が得られた場合（Ｓ２、Ｙｅｓ）、サーバ４は、墓地制御装置２に対して開門の制御指示信号を出力する。墓地制御装置２は、通信制御部２１において当該指示を受信すると、門制御部２２に対して門１１０を開門するよう通知する。門制御部２２は、当該通知に従い門１１０を開門する（Ｓ３）。
【００２７】
なお、暗証番号による認証に代えて、顔認証を採用してもよい。顔認証を採用した場合には、参拝者が門１１０に到着することにより顔認証が行われて、認証成功の場合には自動的に門１１０を開門することができる。
【００２８】
サーバ４は、門１１０を開門する旨の制御信号を出力すると共に、墓石の照明装置２３６と通路に設けられた照明機器３００の照明状態を制御する制御指示信号を、墓地制御装置２に対して出力する。このとき、サーバ４は、墓地１００内に設置された照明機器３００のうち、Ｓ２で照合確認された暗証番号が割り当てられている墓石２００から門１１０までの経路に配置された照明機器３００について、所定の発光色（及び／または点滅パターン）で点灯するよう、制御指示信号を出力する。例えば、図３示すように、Ｓ２で照合確認された暗証番号が墓石２００Ａに割り当てられている場合、門１１０から墓石２００Ａまでの経路に配置された照明機器（図３において、網掛け表示を施した照明機器）３００の識別情報を指定し、所定の発光色（及び／または点滅パターン）で点灯するよう、制御指示信号を出力する。
【００２９】
なお、墓石２００Ａから門１１０までの経路は、予めサーバ４に登録しておいてもよいし、暗証番号の照合確認がなされる都度、選択された墓石２００までの最適経路を計算などにより算出してもよい。例えば、他の墓石２００の前に参拝者がいる場合、参拝者を避けた経路を算出するなどしてもよい。
【００３０】
また、門１１０から選択された墓石２００Ａまでの経路に配置された照明機器３００の発光色や点滅パターンは、他の墓石２００までの経路においてすでに点灯されている照明機器３００の発光色や点滅パターンと異なる色／パターンになるように設定されることが好ましい。例えば、他の墓石２００までの経路に配置された照明機器３００の照明色が青色である場合、墓石２００Ａまでの経路に配置された照明機器３００は、緑色や赤色など、青色とは異なる色で点灯するように制御指示を行う。また、例えば、墓石２００に対して割り当てられた暗証番号ごとに、照明機器３００の色／パターンを予め設定しておいてもよい。
【００３１】
このように、経路によって照明色を異ならせることで、参拝者が経路を間違えることを抑制し、門１１０から所望の墓石２００までスムーズに誘導することができる。なお、発光色や点滅パターンを異ならせる場合、暗証番号入力機１１０Ａの近くにモニタなどを設置し、当該モニタに「青色の点滅に従って進んでください」など、参拝者に自身の経路の照明状態（色、点滅状態）を通知することで、よりスムーズに参拝者を所望の墓石２００まで誘導することができる。
【００３２】
墓地制御装置２は、通信制御部２１において照明点灯指示を受信すると、照明コントローラ２３に対して、照明をオンにする照明機器の識別情報と、照明状態（発光色、及び／または点滅パターン）とを通知する。照明コントローラ２３は、入力された識別情報を有する照明機器３００に対し、所定の照明状態（例えば、赤色の照明を１秒間隔で点滅させる、など）に制御する（Ｓ４）。また、照明コントローラ２３は、Ｓ２で照合確認された暗証番号が割り当てられている墓石２００に設けられた照明装置２３６の照明状態の制御も行う。すなわち、選択された墓石２００の照明装置２３６を点灯するよう、制御を行う（Ｓ４）。
【００３３】
続いて、墓石コントローラ２４は、選択された墓石２００のカメラ２３２から入力される画像を、予め登録されている顔面画像データと照合し、顔認証を行う（Ｓ５）。墓地誘導システムには、墓石２００ごとに参拝者（参拝する可能性がある人物）の顔面画像データが予め登録されている。本ステップは、カメラ２３２の画像を登録された顔面画像データと照合して顔認証を行うことで、参拝者が目的の墓石２００に到着したことを確実に識別することを目的として行われる。
【００３４】
なお、顔認証に用いる顔面画像データは、例えば、Ｓ２において暗証番号の照合確認が行われた際に、暗証番号を入力した参拝者の顔を図示しないカメラで撮影し取得した画像データを用いてもよい。また、カメラ２３２から入力される画像をサーバ４に出力し、顔認証をサーバ４で行ってもよい。
【００３５】
顔認証の照合確認がなされた場合（Ｓ５、Ｙｅｓ）、参拝者が所望の墓石２００に到着したものと推定される。照明コントローラ２３は、Ｓ４において点灯させた照明機器３００、すなわち、門１１０から墓石２００までの経路に配置された照明機器３００を、消灯させる（Ｓ６）。このとき、墓石コントローラ２４（またはサーバ４）は、予め登録されている故人の写真や画像を墓石２００に設置されたモニタ２３３に表示させたり、予め登録されている故人の音声を墓石２００に設置されたスピーカ２３５から出力したりしてもよい。
【００３６】
また、モニタ２３３に表示させる写真や画像、スピーカ２３５から出力する音声は、マイク２３４から集音される参拝者の音声データを解析して内容を解読し、解読結果に応じて選択してもよい。また、当該参拝者の過去の訪問履歴や、過去の音声データの内容、季節や時間などの情報を踏まえて、モニタ２３３の表示内容やスピーカ２３５から出力する音声を変更してもよい。更に、既存のＣＧ技術や音声合成技術を用い、個人の顔の動画や音声を適宜生成して出力してもよい。
【００３７】
参拝者が墓石２００から立ち去ったことを検知すると（Ｓ７、Ｙｅｓ）、照明コントローラ２３は、Ｓ６において消灯させた照明機器３００を再び点灯させる（Ｓ８）。参拝者が立ち去ったことを検知する方法としては、例えば、人感センサを用いることができる。また、カメラ２３２の撮影画像に参拝者が一定時間出現しない場合に、参拝者が墓石２００から立ち去ったものと推定してもよい。更に、マイク２３４から集音される音声データに、予め設定された立ち去ることを示すキーワード（例えば、「また来るね」「帰るね」など）を検出した場合に、参拝者が墓石２００から立ち去ったものと推定してもよい。墓石２００から門１１０までの経路に配置された照明機器３００を点灯することで、参拝者が安全かつ快適に帰路につくことができる。
【００３８】
参拝者は、門１１０に到着すると、暗証番号入力機１１０Ｂに所定の暗証番号を入力する。入力された暗証番号が、Ｓ２において照合確認が得られた暗証番号と一致しない場合（Ｓ９、Ｎｏ）、照合確認が得られるまで、参拝者に正しい暗証番号の入力を促す。一方、入力された暗証番号が、Ｓ２において照合確認が得られた暗証番号と一致する場合（Ｓ９、Ｙｅｓ）、参拝者が門１１０に到着したものと推定し、Ｓ８で点灯した照明機器３００と、墓石２００の照明装置２３６を消灯する（Ｓ１０）。最後に、門１１０を閉門し、墓地誘導システムの一連の動作を終了する。
【００３９】
なお、図６を用いて説明した上述の一連の動作において、サーバ４上で行う動作については、墓地制御装置２で行ってもよい。例えば、Ｓ１における暗証番号の照合は、門制御部２２において行ってもよい。
【００４０】
このように、実施形態の墓地誘導システムは、参拝者が門に到着すると、目的の墓石を特定し、門から墓石までの経路及び墓石の周辺を照明する。また、参拝者が目的の墓石に到着すると、門から墓石までの経路の照明装置を消灯する。更に、参拝を終えて帰路に就くと、門から墓石までの経路を再び照明し、門に到着したことを確認すると、門から墓石までの経路及び墓石の周辺の照明装置を消灯する。従って、墓地の入り口から目的とする墓石までの経路の照明を経済的に点灯し、参拝者が安全かつ快適に墓参りをすることができる。
【００４１】
また、暗証番号の照合に基づく門の開閉動作の制御や、門から墓石までの経路及び墓石の周辺の照明装置の照明状態の制御を行うサーバは、クラウド上に構築したサーバを用いて行ってもよい。クラウドサーバを用いることで、大規模な墓地においても照明状態の管理が容易になる。更に、照明状態の制御だけでなく、門の開閉制御などもクラウドサーバで一元的に管理することができるため、管理の効率が向上する。また、１か所の墓地だけでなく、複数の墓地の照明制御もクラウドサーバで行うことができるので、墓地の管理費用の削減効果も期待できる。
【００４２】
なお、暗証番号の照合に基づく門の開閉動作の制御や、門から墓石までの経路及び墓石の周辺の照明制御は、サーバ４で行ってもよいし、墓地制御装置２の門制御部２２や照明コントローラ２３において行ってもよい。
【００４３】
本発明の実施形態を説明したが、上述の実施形態は、例として例示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００４４】
１…墓地誘導システム
２…墓地制御装置
３…インターネット回線
４…サーバ
２１…通信制御部
２２…門制御部
２３…照明コントローラ
２４…墓石コントローラ
２５…入力装置
４１…プロセッサ
４２…メモリ
１００…墓地
１１０…門
１１０Ａ…暗証番号入力機
１１０Ｂ…暗証番号入力機
２００、２００Ａ…墓石
２１０…墓石列
２２０…墓石通信部
２３１…通信アンテナ
２３２…カメラ
２３３…モニタ
２３４…マイク
２３５…スピーカ
２３６…照明装置
２３７…コントローラ
３００…照明機器
【図１】
2020165240.tif 000003
【図２】
2020165240.tif 000004
【図３】
2020165240.tif 000005
【図４】
2020165240.tif 000006
【図５】
2020165240.tif 000007
【図６】
2020165240.tif 000008